(57)【要約】      （修正有）【課題】  複数の作業状況等を容易に把握することが出来て、離れたところからでもモニターに表示される画像プリント装置を提供する。【解決手段】  モニターと、各種構成機器を制御するための制御装置とが備えられ、プリント用紙への画像プリント処理時、モニターに表示される作業画面上に、状況を表示する状況表示部と、オーダー内容を表示するオーダー内容表示部と、未使用のプリント用紙の残量及び処理されたプリント用紙の巻取り量を表示するプリント用紙表示部と、オーダデータが入力されているデータ入力表示部とを同時に表示し、作業状況表示部は、処理作業時、非処理作業時とは異なる背景色で点滅させるようにし、オーダー内容表示部には、どのオーダーが処理された段階でプリント用紙がカットされるかを示すアイコンを表示し、プリント用紙表示部は、未使用のプリント用紙の残量と、処理されたプリント用紙の巻取り量を拡大して表示する。【選択図】  図３
2005070581.tif 000002
【特許請求の範囲】
【請求項１】
各種情報を表示するためのモニターと、各種構成機器を制御するための制御装置とが備えられ、プリント用紙への画像プリント処理時、前記制御装置の制御により、モニターに画像プリント処理作業に対応する作業画面を表示するようにしている画像プリント装置において、
モニターに表示される作業画面上には、
画像プリント装置の運転状況を表示する運転状況表示部と、
画像プリント処理するオーダー内容を表示するオーダー内容表示部と、
未使用のプリント用紙の残量及び処理されたプリント用紙の巻取り量を表示するプリント用紙表示部と
画像プリント装置にオーダデータが入力されていることを示すデータ入力表示部とが同時に表示されるようにすると共に、
運転状況表示部は、画像プリント装置が処理作業を行なっている時、処理作業が行なっていない時とは異なる背景色で点滅させるようにし、
オーダー内容表示部には、どのオーダーが処理された段階でプリント用紙がカットされるかを示すアイコンを表示するようにし、
プリント用紙表示部は、未使用のプリント用紙の残量と、処理されたプリント用紙の巻取り量が拡大して表示されるようにしていることを特徴とする画像プリント装置。
【発明の詳細な説明】
【技術分野】
【０００１】
本発明は主として印画紙などのプリント用紙に画像を焼付処理するための画像プリント装置に関する。
【背景技術】
【０００２】
一般にこの種の画像プリント装置は、印画紙などのプリント用紙を搬送するための搬送装置と、搬送装置により搬送されるプリント用紙に画像の焼付処理を行なう焼付処理装置などが搭載され、プリント用紙を搬送装置により搬送しながら、読取装置で読み取った画像を焼付処理装置により前記プリント用紙に焼き付けるようにしている。
（特許文献１参照）
【特許文献１】特開２００１−２１３０３７号  また以上の画像プリント装置には、各種の処理情報等を表示するためのモニターと、各種構成機器を制御するための制御装置とが搭載され、例えばプリント用紙への画像プリント処理時、制御装置の制御により、各種作業状況やプリント用紙の残量などをモニターの画面に個別に表示するようにしている。
【０００３】
ところで、前記した従来の画像プリント装置にあっては、作業状況などの各種状況を確認するに際しては、確認したい情報が表示されている画面をその都度モニター上に表示して確認する必要があることから、確認に手間を要する。
【０００４】
また前記した従来の画像プリント装置では、各種作業状況は主としてモニターの画面上でしか確認することが出来ないのであるが、モニターから離れると画面の内容が見難くく、作業状況を正確に確認するためには、どうしてもモニターの近くまで戻って、画面を見直すしかなく、全体として作業性が悪い。
【発明の開示】
【発明が解決しようとする課題】
【０００５】
本発明は以上の実情に鑑みて開発したものであって、目的とするところは、複数の作業状況等を容易に把握することが出来て、しかも離れたところからでもモニターに表示される各種表示事項が見え易い画像プリント装置を提供することにある。
【課題を解決するための手段】
【０００６】
以上の目的を達成するために、請求項１に記載の発明は、各種情報を表示するためのモニターと、各種構成機器を制御するための制御装置とが備えられ、プリント用紙への画像プリント処理時、前記制御装置の制御により、モニターに画像プリント処理作業に対応する作業画面を表示するようにしている画像プリント装置において、
モニターに表示される作業画面上には、
画像プリント装置の運転状況を表示する運転状況表示部と、
画像プリント処理するオーダー内容を表示するオーダー内容表示部と、
未使用のプリント用紙の残量及び処理されたプリント用紙の巻取り量を表示するプリント用紙表示部と、
画像プリント装置にオーダデータが入力されていることを示すデータ入力表示部とが同時に表示されるようにすると共に、
運転状況表示部は、画像プリント装置が処理作業を行なっている時、処理作業が行なっていない時とは異なる背景色で点滅させるようにし、
オーダー内容表示部には、どのオーダーが処理された段階でプリント用紙がカットされるかを示すアイコンを表示するようにし、
プリント用紙表示部は、未使用のプリント用紙の残量と、処理されたプリント用紙の巻取り量が拡大して表示されるようにしていることを特徴とするものである。
【０００７】
請求項１に記載の画像プリント装置では、モニターから離れていても、処理装置の複数の状況を容易に把握することが出来る。
【発明の効果】
【０００８】
請求項１に記載の発明によれば、モニターから離れていても複数の処理事項を容易に把握することが出来るので、全体として画像プリント処理の作業性が向上する。
【発明を実施するための最良の形態】
【０００９】
図１に示す画像プリント装置は、
印画紙から成るプリント用紙Ｐに画像を焼付け処理するための装置本体１と、
ロール状に巻かれたプリント用紙Ｐを格納する供給用ペーパーマガジン２と、
供給用ペーパーマガジン２内のプリント用紙Ｐを装置本体１に受け渡すためのペーパー受渡しユニット２０と、
装置本体１で画像の焼付け処理が行なわれたプリント用紙Ｐをロール状に巻き取って格納するための巻取用ペーパーマガジン３とが備えられている。
【００１０】
装置本体１には、図１にも示すように、
受渡しユニット２０を介して供給用ペーパーマガジン２から送り込まれてくるプリント用紙Ｐを搬送するための搬送機構１１と、
搬送機構１１で搬送されるプリント用紙Ｐに画像を露光するための露光機構１２と、
搬送機構１１で搬送されるプリント用紙Ｐを途中でカットするためのカッター１３と、
画像処理機（図示せず）で作成されたプリントデータを入力して、そのデータに基づいて、前述の搬送機構１１や露光機構１２などの各種構成機器を制御するための制御装置１４と、制御装置１４により制御されて、各種情報を表示するモニター１５等が搭載されている。
【００１１】
露光機構１２は、レーザービーム方式のものが搭載されているが、ＰＬＺＴシャッター方式や液晶シャッター方式、蛍光ビーム方式等、仕様に応じて任意の方式のものを搭載してもよい。
【００１２】
以上の構成から成る画像プリント装置において、図に示す実施形態では、画像プリント装置の運転時、モニター１５には、図２に示すように、
画像プリント装置の運転状況を示す運転状況表示部６と、
画像の焼付処理を行なうオーダーＯＤの内容を表示するオーダー内容表示部７と、
未使用のプリント用紙の残量、具体的には供給用ペーパーマガジン２内のプリント用紙の残量及び処理されたプリント用紙の巻取り量、具体的には巻取用ペーパーマガジン３内に巻き取られたプリント用紙の巻取量を示すプリント用紙表示部８と、
画像処理機から画像プリント装置にオーダデータが入力されていることを示すデータ入力表示部９とが同時に掲載された作業画面５が表示されるようしている。
【００１３】
そして運転状況表示部６は、画像プリント装置が各種処理作業を行なっていない時、例えば処理装置が初期化運手中は、そのウインドウの背景部分が白色に点灯する一方、画像プリント装置が各種処理作業を行なっている時、例えばプリント用紙Ｐへの画像の焼付運転時やプリント用紙Ｐのカット運転時には、そのウインドウの背景部分が青色で点滅するようにしている。
【００１４】
またオーダー内容表示部７には、画像処理機から画像プリント装置に順次送信されて来るオーダーＯＤの内容が古い順に上から順番に表示され、最も古いオーダーの画像プリント処理が完了した段階で、完了したオーダーが表示部から削除されると共に、未処理のオーダーが順次繰り上がって表示されるようにしている
またオーダー内容表示部７には、いずれのオーダーＯＤを画像プリント装置により処理した段階でカッター１３が作動するのかを表示するために、カッター１３を作動させるオーダＯＤの記載部の頭に鋏の図形のアイコン７１が赤色で表示されるようにしている。
【００１５】
このアイコン７１は、プリント用紙Ｐのカット作業を実施したいオーダーＯＤを選択して、作業画面上に表示されている予約ボタン５１をクリックすることで、図３に示すように、そのオーダＯＤの記載部の頭に鋏の図形のアイコン７１が赤色で表示されるようにしている。
【００１６】
プリント用紙表示部８は、常時は、図２に示すように、後記するデータ入力表示部９の上方に、供給用ペーパーマガジン２内のプリント用紙Ｐの残量の表示８ａ及び巻取用ペーパーマガジン３内に巻き取られた処理済みのプリント用紙の巻取量の表示８ｂを出すようにしている。
【００１７】
そしてプリント用紙表示部８のマガジン情報タブ８１をクリックすることで、図３に示すように、データ入力表示部９上に重なるように、供給用ペーパーマガジン２内のプリント用紙Ｐの残量を拡大して示す拡大表示部８０ａ及び巻取用ペーパーマガジン３内に巻き取られた処理済みのプリント用紙の巻取量を拡大して示す拡大表示部８０ｂが出るようにしている。
【００１８】
またデータ入力表示部９は、画像プリント処理装置の姿のアイコン９１が表示され、画像処理機から画像プリント装置にオーダデータが入力されている間は、そのアイコン９１の上方にオーダーデータの受信を表わすアイコン９２が点滅するようにしている。
【００１９】
以上の構成から成る画像プリント装置では、画像処理機からのオーダーデータの入力に伴い、オーダー内容表示部７には、画像処理機から順次送られて来るオーダーＯＤの内容が上から古い順番に表示されるのであり、画像プリント装置は、画像処理機から送られた古いオーダーから順番にプリント処理を行なう。
【００２０】
そして、１オーダーＯＤ分のプリント処理が完了した段階で、完了したオーダーＯＤの表示がオーダー内容表示部７のウインドから削除されると共に、未処理のオーダーＯＤの表示が順次繰り上がって表示される。
【００２１】
ところで画像処理機からのオーダーデータの入力時には、データ入力表示部９において信号のアイコン９２が点滅して、画像処理機から画像プリント装置にデータが入力中であることがモニターの作業画面５上に表示される。
【００２２】
また画像プリント装置がプリント処理運転を行なっている時やカッターによるプリント用紙の切断作業が行なわれている時には、運転状況表示部６のウインドウの背景部分が青色で点滅している。
【００２３】
一方、オペレータが、プリント用紙Ｐのカット作業を実施したいオーダーＯＤを選択して、予約ボタン５１をクリックするに伴い、そのオーダＯＤの記載部の頭に鋏の図形のアイコン７１が赤色で表示される。
【００２４】
またプリント用紙表示部８のマガジン情報タブ８１をクリックするに伴い、図３に示すように、データ入力表示部９上に重なるように、供給用ペーパーマガジン２内のプリント用紙Ｐの残量の拡大表示８０ａ及び巻取用ペーパーマガジン３内に巻き取られた処理済みのプリント用紙の巻取量の拡大表示８０ｂが大きく表示される。
【００２５】
斯くして、オペレータが画像プリント装置から離れた場所からでも、モニター１５に表示されている作業画面５を確認するだけで、画像プリント装置の運転状況、オーダーの受け付け状況、カッター１３によるプリント用紙Ｐのカットの予約状況乃至カットのタイミング、供給用ペーパーマガジン２内のプリント用紙Ｐの残量及び巻取用ペーパーマガジン３内に巻き取られたプリント用紙Ｐの巻取量を容易に確認することが出来、これに伴い、プリント処理作業の効率化が図れるに至ったのである。
【００２６】
以上の実施形態では、プリント用紙として印画紙を用いたが、これに限定されるものではなく、プリント用紙として普通紙を用いるインクジェット式の画像プリント装置に適用してもよい。
【図面の簡単な説明】
【００２７】
【図１】本発明にかかる画像プリント装置の構成図。
【図２】モニターに表示される作業画面の説明図。
【図３】モニターに表示される作業画面の説明図。
【符号の説明】
【００２８】
１        装置本体
１４      制御装置
１５      モニター
２        供給用ペーパーマガジン
３        巻取用ペーパーマガジン
５        作業画面
６        運転状況表示部
７        オーダー内容表示部
８        プリント用紙表示部
９        データ入力表示部
Ｐ        プリント用紙
【図１】
2005070581.tif 000003
【図２】
2005070581.tif 000004
【図３】
2005070581.tif 000005